(57)【要約】      （修正有）【課題】魚を釣り上げた際に、釣り上げた魚を弱らせないようにして移すことできるタモ網、特に鮎友釣り用に適した鮎友釣り用タモ網を提供する。【解決手段】鮎友釣り用タモ網は、獲り込み口を形成する円環状の円環枠１と、該円環枠１の一部に前記円環枠と同一水平面となるように固定した短棒状の柄２と、前記円環枠１に開口部が縫着され、底部に前記柄２と同一方向に延びる細幅円筒状の魚誘導通路３を形成し、該魚誘導通路３の先端に常時閉鎖状の閉蓋４を備えている網本体５とから構成される。前記閉蓋４には、鈎状のフック６を固定し、通常は前記フック６を円環枠１に引っ掛けて保持する。前記閉蓋４は、２枚の弾性板材の両端を枢軸で軸支して常時閉鎖され、２枚の弾性板材を矢印方向の両側から指で押すことにより、丸形状に開口させることができる。【選択図】図１
0003118448.tif 000002
【実用新案登録請求の範囲】
【請求項１】
獲り込み口を形成する円環状の円環枠と、該円環枠の一部に前記円環枠と同一水平面となるように固定した短棒状の柄と、前記円環枠に開口部が縫着され、底部に前記柄と同一方向に延びる細幅円筒状の魚誘導通路を形成し、該魚誘導通路の先端に２枚の弾性部材からなる常時閉鎖状の閉蓋を備えている網本体とから構成されることを特徴とする鮎友釣り用タモ網。
【請求項２】
獲り込み口を形成する円環状の円環枠と、該円環枠の一部に前記円環枠と同一水平面となるように固定した短棒状の柄と、前記円環枠に開口部が縫着され、底部に前記柄と直角方向に延びる細幅円筒状の魚誘導通路を形成し、該魚誘導通路の先端に２枚の弾性部材からなる常時閉鎖状の閉蓋を備えている網本体とから構成されることを特徴とする鮎友釣り用タモ網。
【考案の詳細な説明】
【技術分野】
【０００１】
本考案は、魚を釣り上げた際に使用するタモ網、特に鮎友釣り用に適した鮎友釣り用タモ網に関する。
【背景技術】
【０００２】
従来、鮎の友釣りの際に使用するタモ網は、柄が短く且つ釣り上げた鮎と囮鮎とを同時にも獲り込めるように獲り込み口が広いものである。
釣り上げた鮎は、タモ網内で針を外して囮鮎とするか友舟といわれる保管箱に入れるが、この友舟は釣り人の腰に紐で繋ぎ止めて小舟のように水面上に浮かせて鮎を生きたままの状態で収容できる構造となっている。
したがって、釣り上げた鮎を弱らせないようにして囮鮎とするか友舟に移すことが重要であるが、現状では釣り上げた鮎又は囮鮎を手で捕まえて友舟に移すので、移す途中で逃がしたり、弱らせたりすることがあった。
なお、一般的な掬い網であるが、掬い網に工夫を凝らして捕らえた魚類を移す細長網部分を形成することが公知となっている。
この公知技術は、タモ網で魚類を捕らえて後これを引上げる場合、タモ網の細長き部分を折り曲げ状態から引き延ばし状態にすることにより、タモ網内の魚類を細長き部分から簡単に排出することができるものである（特許文献１を参照）。
【特許文献１】登録実用新案第３７７６６号
【考案の開示】
【考案が解決しようとする課題】
【０００３】
本考案は、魚を釣り上げた際に、釣り上げた魚を弱らせないようにして移すことできるタモ網、特に鮎友釣り用に適した鮎友釣り用タモ網を提供することを目的とする。
【課題を解決するための手段】
【０００４】
本考案の鮎友釣り用タモ網は、獲り込み口を形成する円環状の円環枠と、該円環枠の一部に前記円環枠と同一水平面となるように固定した短棒状の柄と、前記円環枠に開口部が縫着され、底部に前記柄と同一方向に延びる細幅円筒状の魚誘導通路を形成し、該魚誘導通路の先端に２枚の弾性部材からなる常時閉鎖状の閉蓋を備えている網本体とから構成されるものである。
また、本考案の鮎友釣り用タモ網は、獲り込み口を形成する円環状の円環枠と、該円環枠の一部に前記円環枠と同一水平面となるように固定した短棒状の柄と、前記円環枠に開口部が縫着され、底部に前記柄と直角方向に延びる細幅円筒状の魚誘導通路を形成し、該魚誘導通路の先端に２枚の弾性部材からなる常時閉鎖状の閉蓋を備えている網本体とから構成されるものである。
【考案の効果】
【０００５】
本考案の鮎友釣り用タモ網は、底部に柄と同一方向又は直角方向に延びる細幅円筒状の魚誘導通路を形成しているので、網中で取り外した鮎を魚誘導通路に誘導して常時閉鎖状の閉蓋の２枚の弾性板材を両側から指で押すことにより丸形状に開口させることができるので、前記取り外した鮎は手を触れることなく網から友舟に移すことができ、逃がしたり、弱らせたりすることがない。
【考案を実施するための最良の形態】
【０００６】
本考案の鮎友釣り用タモ網の一実施例を図面に基づいて、以下に説明する。
図１の平面図及び図２の左側面図に示すように、本考案の鮎友釣り用タモ網は、獲り込み口を形成する円環状の円環枠１と、該円環枠１の一部に前記円環枠と同一水平面となるように固定した短棒状の柄２と、前記円環枠１に開口部が縫着され、底部に前記柄２と同一方向に延びる細幅円筒状の魚誘導通路３を形成し、該魚誘導通路３の先端に常時閉鎖状の閉蓋４を備えている網本体５とから構成される。
前記閉蓋４には、鈎状のフック６を固定し、図３に示すように、通常は前記フック６を円環枠１に引っ掛けて保持する。
前記閉蓋４は、図２の矢印方向から見た図４（ａ）に示すように、２枚の弾性板材７，７の両端を枢軸８，８で軸支して常時閉鎖され、２枚の弾性板材７，７を矢印方向の両側から指で押すことにより、図４（ｂ）に示すように、丸形状に開口させることができる。
なお、前記弾性板材７，７は、金属製又はプラスチック製の材料から構成される。
【０００７】
次に、本考案の鮎友釣り用タモ網の操作方法を図面に基づいて、以下に説明する。
通常は、図３に示すように鈎状の前記フック６を円環枠１に引っ掛けて保持すれば、前記魚誘導通路３がブラブラしないので取扱いが便利である。
鮎を釣り上げたら、本考案の鮎友釣り用タモ網で獲り込み、網本体５の中で釣り上げた鮎又は囮鮎を取り外し、前記フック６を円環枠１から外して前記魚誘導通路３を引き延ばし先端を友舟に導き、取り外した鮎は前記魚誘導通路３を誘導されて常時閉鎖状の閉蓋４に至る。
そこで、図４（ａ）に示すように、２枚の弾性板材７，７を矢印方向の両側から指で押すことにより、図４（ｂ）に示すように、丸形状に開口させることができるので、前記取り外した鮎は手を触れることなく友舟に移すことができる。
【０００８】
また、本考案の鮎友釣り用タモ網の他の実施例を図面に基づいて、以下に説明する。
他の実施例の鮎友釣り用タモ網と図１に示すタモ網との違いは、魚誘導通路３が柄２とは直角方向に延びていることである。
本考案の鮎友釣り用タモ網は、図５の平面図及び図６の左側面図に示すように、獲り込み口を形成する円環状の円環枠１と、該円環枠１の一部に前記円環枠と同一水平面となるように固定した短棒状の柄２と、前記円環枠１に開口部が縫着され、底部に前記柄２と直角方向に延びる細幅円筒状の魚誘導通路３を形成し、該魚誘導通路３の先端に常時閉鎖状の閉蓋４を備えている網本体５とから構成される。
前記閉蓋４には、鈎状のフック６を固定し、図７に示すように、通常は前記フック６を円環枠１に引っ掛けて保持する。
前記閉蓋４は、図６の矢印方向から見た図８（ａ）に示すように、２枚の弾性板材７，７の両端を枢軸８，８で軸支して常時閉鎖され、２枚の弾性板材７，７を矢印方向の両側から指で押すことにより、図８（ｂ）に示すように、丸形状に開口させることができる。
なお、前記弾性板材７，７は、金属製又はプラスチック製の材料から構成される。
【図面の簡単な説明】
【０００９】
【図１】本考案の鮎友釣り用タモ網の平面図である。
【図２】本考案の鮎友釣り用タモ網の左側面図である。
【図３】本考案の鮎友釣り用タモ網の魚誘導通路を折畳んだ状態の左側面図である。
【図４】本考案の鮎友釣り用タモ網の閉蓋の（ａ）閉じた状態、（ｂ）開いた状態を示す拡大説明図である。
【図５】他の実施例の鮎友釣り用タモ網の平面図である。
【図６】他の実施例の鮎友釣り用タモ網の左側面図である。
【図７】他の実施例の鮎友釣り用タモ網の魚誘導通路３を折畳んだ状態の左側面図である。
【図８】他の実施例の鮎友釣り用タモ網の閉蓋の（ａ）閉じた状態、（ｂ）開いた状態を示す拡大説明図である。
【符号の説明】
【００１０】
１  円環枠
２  柄
３  魚誘導通路
４  閉蓋
５  網本体
６  フック
７  弾性板材
８  枢軸
【図１】
0003118448.tif 000003
【図２】
0003118448.tif 000004
【図３】
0003118448.tif 000005
【図４】
0003118448.tif 000006
【図５】
0003118448.tif 000007
【図６】
0003118448.tif 000008
【図７】
0003118448.tif 000009
【図８】
0003118448.tif 000010